(57)【要約】      （修正有）【課題】横ビームの必要な箇所に簡単に取り付けられるとともに取り付け位置の変更も簡単に行うことができる経済的な収納ラックからの収納物の落下防止装置を提供する。【解決手段】横ビームに装着されるケーシング９とケーシングの一部から上下方向に昇降する規制片２１と、落下防止装置Ｓが装着された部分に収納物が載置されたのを検出する検出部１０とを備え、前記検出部は、その一端部をケーシングの一端側に揺動可能に枢支させ、検出部の他端部を横ビームの上面よりも高く位置させるとともに、ケーシングに枢支された部分の検出部から規制片の押し上げ部の下方に延出する弾性部材２５を設け、収納ラックに収納物が載置されて横ビームの上面よりも高く位置させた検出部の他端部が下方に押し込まれると、前記弾性部材を介して規制片を上昇させるように構成するとともに、前記ケーシングを着脱可能若しくは摺動可能に横ビームに設けて構成した。【選択図】図２
0003155536.tif 000002
【実用新案登録請求の範囲】
【請求項１】
支柱と、支柱に支持された横ビームとを有する収納用ラックに装着されて収納ラックに収納されたコンテナやパレット等の収納物が移動ならびに落下するのを防止するための収納ラックからの収納物の落下防止装置であって、横ビームに装着されるケーシングとケーシングの一部から上下方向に昇降する規制片と、落下防止装置が装着された部分に収納物が載置されたのを検出する検出部とを備え、前記検出部は、その一端部をケーシングの一端側に揺動可能に枢支させ、検出部の他端部を横ビームの上面よりも高く位置させるとともに、ケーシングに枢支された部分の検出部から規制片の押し上げ部の下方に延出する弾性部材を設け、収納ラックに収納物が載置されて横ビームの上面よりも高く位置させた検出部の他端部が下方に押し込まれると、前記弾性部材を介して規制片を上昇させるように構成するとともに、前記ケーシングを着脱可能若しくは摺動可能に横ビームに設けたことを特徴とする収納ラックからの収納物の落下防止装置。
【請求項２】
弾性部材が板バネであることを特徴とする請求項１に記載の収納ラックからの収納物の落下防止装置。
【請求項３】
ケーシングが固定具で連結された上下の二部材で形成され、上側部材の上部先端には横ビームの上部に掛合する掛合部が形成されるとともに、下側部材の下部先端には横ビームの下部に係止する係止部を設けたことを特徴とする請求項１または請求項２に記載の収納ラックからの収納物の落下防止装置。
【考案の詳細な説明】
【技術分野】
【０００１】
本考案は、例えば倉庫内に並置された収納ラックの棚に収納・載置されたパレットやコンテナが落下するのを防止するための、収納ラックからの収納物の落下防止装置に関するものである。
【背景技術】
【０００２】
種々雑多の物品はコンテナに入れ、そのコンテナ毎を収納ラックに載置・収納したり、あるいはシート状の物品はパレットに積み重ね、そのパレットを、フォークリフト等を使って収納ラックに載置・収納したりしている。
こうして収納ラックに収納されたコンテナやパレット（以下単に収納物）は、下面がフラットで滑りやすく、フォークリフト等を使っての収納時にすでに載置・収納されている収納物に触れたり、地震が発生したりすると簡単にずれ動いて落下してしまうという問題があった。
【０００３】
そこでこうした問題を解消するために、特許文献１に示す落下防止装置が提案されている。
この落下防止装置は、当該公報の図面を参照して説明すると、収納ラックＲの棚部前面を形成する横ビームＢに付設された上側開口部を有するブラケット２と、中央揺動棒７ａを介して両端が逆向Ｌ字形となって形成され、一端Ｌ字形部分である揺動支持軸７ｂが横ビームＢからブラケット２に貫挿され、他端Ｌ字形部分である揺動操作バー７ｃが横ビームＢ内側から上方に突出されて収納ラックＲの内方に延びて成る揺動レバー７と、該揺動支持軸７ｂに対して回転可能に支承され、ブラケット２の上側開口部で上下に揺動出没するガード板１０と、該ガード板１０、揺動支持軸７ｂそれぞれを連繋するよう相互間に張架された張力バネ１６とを備え、該張力バネ１６は、揺動操作バー７ｃに掛かるパレットＰ荷重によって当該張力バネ１６の張力に任せてガード板１０をブラケット２の上側開口部から上方に突出可能とすると共に、揺動操作バー７ｃと同時にガード板１０に掛かるパレットＰ荷重によって当該張力バネ１６の張力に抗して当該ガード板１０をブラケット２内部に退避可能としたものである。
【０００４】
ところがこうしたものでは、収納用ラックの横ビームに揺動支持軸を貫挿する孔を空け、落下防止装置を等間隔に複数設けなくてはならず、手数がかかる上、無駄が多くも不経済のものとなっている。
しかも、横ビームには揺動支持軸を貫挿する孔を多数穿設するために、収納用ラックの強度が低下してしまうという問題もあった。
【先行技術文献】
【特許文献】
【０００５】
【特許文献１】特許第４２７６２９０号公報
【考案の概要】
【考案が解決しようとする課題】
【０００６】
本考案は上記問題点に鑑みて提案されたもので、収納用ラックの強度低下を招くことなく、横ビームの必要な箇所に簡単に取り付けられるとともに取り付け位置の変更も簡単に行うことができる経済的な収納ラックからの収納物の落下防止装置を提供できるようにすることを目的とするものである。
【課題を解決するための手段】
【０００７】
上記目的を達成するために、本考案にかかる収納ラックからの収納物の落下防止装置は、支柱と、支柱に支持された横ビームとを有する収納用ラックに装着されて収納ラックに収納されたコンテナやパレット等の収納物が移動ならびに落下するのを防止するための収納ラックからの収納物の落下防止装置であって、横ビームに装着されるケーシングとケーシングの一部から上下方向に昇降する規制片と、落下防止装置が装着された部分に収納物が載置されたのを検出する検出部とを備え、前記検出部は、その一端部をケーシングの一端側に揺動可能に枢支させ、検出部の他端部を横ビームの上面よりも高く位置させるとともに、ケーシングに枢支された部分の検出部から規制片の押し上げ部の下方に延出する弾性部材を設け、収納ラックに収納物が載置されて横ビームの上面よりも高く位置させた検出部の他端部が下方に押し込まれると、前記弾性部材を介して規制片を上昇させるように構成するとともに、前記ケーシングを着脱可能若しくは摺動可能に横ビームに設けたことを最も主要な特徴とするものである。
【０００８】
また、本考案にかかる収納ラックからの収納物の落下防止装置は、弾性部材が板バネであることや、ケーシングが固定具で連結された上下の二部材で形成され、上側部材の上部先端には横ビームの上部に掛合する掛合部が形成されるとともに、下側部材の下部先端には横ビームの下部に係止する係止部を設けたことも特徴とするものである。
【考案の効果】
【０００９】
本考案にかかる収納ラックからの収納物の落下防止装置によれば、横ビームに装着されるケーシングとケーシングの一部から上下方向に昇降する規制片と、落下防止装置が装着された部分に収納物が載置されたのを検出する検出部とを備え、前記検出部は、その一端部をケーシングの一端側に揺動可能に枢支させ、検出部の他端部を横ビームの上面よりも高く位置させるとともに、ケーシングに枢支された部分の検出部から規制片の押し上げ部の下方に延出する弾性部材を設け、収納ラックに収納物が載置されて横ビームの上面よりも高く位置させた検出部の他端部が下方に押し込まれると、前記弾性部材を介して規制片を上昇させるように構成するとともに、前記ケーシングを着脱可能若しくは摺動可能に横ビームに設けて落下防止装置を構成してある。
【００１０】
これにより、先の提案にかかるもののように、収納用ラックの横ビームに揺動支持軸を貫挿する孔を空け、落下防止装置を等間隔に複数設けなくてはなくても、必要な部分に本考案にかかる収納ラックからの収納物の落下防止装置を装着するだけ済み、簡単で経済的に収納ラックからの収納物の落下を防止することができる。
【００１１】
しかも、横ビームには先の提案にかかるもののように、揺動支持軸を貫挿する孔を多数穿設しなくて済むので、収納用ラックの強度の低下を防止することができる利点もある。
【００１２】
また、弾性部材を板バネで形成したものでは、弾性部材の検出への取り付けが簡単に行える利点がある。
ケーシングがネジ止めされた上下の二部材で形成され、上側部材の上部先端には横ビームの上部に掛合する掛合部が形成されるとともに、下側部材の下部先端には横ビームの下部に係止する係止部を設けたものでは、ネジ止めを緩めるだけで落下防止装置の着脱や移動が至って簡単に行えるようになる利点がある。
【図面の簡単な説明】
【００１３】
【図１】は本考案にかかる収納ラックからの収納物の落下防止装置を装着した収納ラックの斜視図である。
【図２】は本考案にかかる収納ラックからの収納物の落下防止装置の分解斜視図である。
【図３】は本考案にかかる収納ラックからの収納物の落下防止装置の正面図である。
【図４】は本考案にかかる収納ラックからの収納物の落下防止装置の平面図である。
【図５】は本考案にかかる収納ラックからの収納物の落下防止装置を装着した部分の正面図である。
【図６】は本考案にかかる収納ラックからの収納物の落下防止装置を横ビームに装着した部分の縦断側面図である。
【図７】は本考案にかかる収納ラックからの収納物の落下防止装置の作用説明図である。
【図８】は本考案にかかる収納ラックからの収納物の落下防止装置をΣ形の横ビームに付設した部分の縦断側面図である。
【考案を実施するための形態】
【００１４】
以下、本考案にかかる収納ラックからの収納物の落下防止装置（以下単に落下防止装置という）の最も望ましい実施の形態を図面に基づいて説明する。
図１は落下防止装置Sを装着した収納ラックの斜視図であって、図中符号１は収納ラックを全体的に示す。
この収納ラック１は、前後に立設された柱部材２・２間を梁部材３で連結して支柱４を形成し、この支柱４を左右方向に等間隔に配置するとともに、この支柱４・４間に、前後一対の横ビーム５を棚形成部材６で連結して梯子状に形成された棚板７の前記横ビーム５の端部を、取り付け金具８を介して前記支柱７にその取り付け高さ位置を変更可能に取り付けられている。
上記支柱４の柱部材２ならびに横ビーム５は、断面Ｃ型鋼で形成され、棚形成部材６は断面Ｉ型鋼で形成されている。
【００１５】
そして、本考案にかかる落下防止装置Sは、収納ラック１の前面側の横ビーム（図上左方の横ビーム）５部分に取り付けられている。
因みに、こうした収納ラック１は、その設置場所が収納ラック１の背面が倉庫の側壁に近接させて設置されることが多く、こうした場合、落下防止装置Sが取り付けられている図１上の手前側が開放された物品の出し入れ口となる。
【００１６】
この落下防止装置Sは、図２乃至図４に示すように、横ビーム５に装着されるケーシング９とケーシング９から上下方向に昇降する規制片１０と、落下防止装置Sが装着された部分に収納物が載置されたのを検出する検出部１０とを備えてなる。
ケ−シング９は、ビス等の固定具１１で固定される金属製の上側部材１２と下側部材１３の二部材で形成されており、上側部材１２は、側面視において垂直面部分１４と、これと一連に形成された上部水平面部分１５とで逆Ｌ字型に形成され、その上部水平面部分１５の左右寄り先端（上部先端）を垂直下向きに折り曲げて横ビーム５の上部に掛合する掛合部１６が形成されており、垂直面部分１４の下部先端は内側（図２上、手前側）に水平に折り曲げられて後述する下側部材１３が取り付けられる連結部１７が形成されている。
【００１７】
上記下側部材１３は、側面視においてクランク状に形成され、上部先端が前記連結部１７にビス等の固定具１１で取り付けられる固定部１８が形成されるとともに、水平部分１９の左右寄り先端（下部先端）を上方に折り曲げて横ビーム５の下部に係止する係止部２０が形成されている。
そして、上側部材１２の部水平面部分１５及び連結部１７の中央部分には後述する規制片２１を垂直方向に昇降案内するためのスリット２２が形成されている。
また、上側部材１２の垂直面部分１４の上部内側の左右及び掛合部１６の左右寄り部分のそれぞれには後述する検出部１０の回動中心となる軸部材２３が同心状に突出させてある。
上記規制片２１は金属製板材で矩形に形成され、その一側面の中間高さ位置に検出部１０で昇降操作される突片（押し上げ部）２１aが設けてある。
【００１８】
検出部１０は、前記軸部材２３を揺動中心として揺動する揺動部２４と、この揺動部２４に固定された弾性部材２５とで構成されている。
上記揺動部２４は、下向きのコ字形に形成され、その脚部２６の一側方（図上右側方）には軸部材２３が挿通される挿通孔２７が形成されるとともに、奥側の脚部２６の下端は水平に折り曲げられて弾性部材２５の取り付け部２８が形成されている。
弾性部材２５は細幅の板バネで形成されており、基端部には揺動部２４の取り付け部２８に穿設された取り付け孔２９に合致してナット３０で固定されるビス３１が挿通される取り付け孔３２が形成されるとともに、先端部は下方に折り曲げられている。
この先端部の折り曲げ高さHは、落下防止装置Sが組み立てられ収納ラック１にコンテナやパレットPが載置されていないときには、規制片２１の上端が上側部材１２の上部水平面部分１５と面一となる高さにしてある。
【００１９】
上記のように構成された落下防止装置Sの組み付け並びに作用を次に説明する。
先ず、上側部材１２と下側部材１３の二部材をビス等の固定具１１で固定してケーシング９を組み立て、上側部材１２と下側部材１３にわたって形成されたスリット２２に規制片２１を昇降自在に装着する。
次に、検出部１０の揺動部２４に板バネからなる弾性部材２５を固定し、この検出部１０の挿通孔２７にケーシング９の上側部材１２に形成された軸部材２３を貫通させた状態にして検出部１０をケーシング９に取り付ける。
【００２０】
このとき、検出部１０の弾性部材（板バネ）２５の上面は、規制片２１の突片２１aの下端に当接しており、前記したように弾性部材２５の先端部の折り曲げ高さHにより、図３に示すように規制片２１等の重みでその上端部がケーシング９の上面（上側部材１２の上部水平面部分１５の上面）と面一の状態に下降している。
規制片２１がその重みで下降しているときは、検出部１０の揺動部２０は弾性部材２５を介して軸部材２３を回動中心として端部がケーシング０の上面より上方に跳ね上がった状態になっている（図３参照）。
【００２１】
上記のようにして組み立てられた落下防止装置Sは、上側部材１２と下側部材１３の二部材を止めている固定具１１を緩めた状態にし、収納ラック１の所望する部分の横ビーム５に掛合部１６と係止部２０を掛合させて取り付け、固定具１１を締めて上側部材１２と下側部材１３をしっかりと連結固定すると図１及び図５に示すように落下防止装置Sの装着が完了する。
【００２２】
収納ラック１の横ビーム５に装着された落下防止装置S部分に、フォークリフトやホイスト等の搬送手段で図５に示すようにパレット（収納物）Pが載置されると、そのパレットPの重みで、前記図３に示すようにケーシング９の上面より上方に跳ね上がっている検出部１０の揺動部２４が押し込まれて、軸部材２３を回動中心として回動する。
すると、この揺動部２４の回動により弾性部材２５から突片２１aを介して規制片２１を押し上げ、図３の状態から図７に示す状態の、上端がケーシング９から突出するように上昇させる。
【００２３】
斯くして、パレットPが載せられて規制片２１が突出すると、地震や収納時のパレットP等の接触で収納ラック１に載置されたパレットPがずれ動こうとしたときに、このずれ動きを規制片２１が受け止めて防止するので、ずれ動きによるパレットPの落下を未然防止することができる。
因みに、収納ラック１に収納途中のパレットPが検出部１０と突出しようとする規制片２１との両方にわたって上から作用した場合、弾性部材２５が弓なりになって落下防止装置Sが破損するのを防止し、パレットPが正規の位置に運ばれると弾性部材２５の弾性復帰力により規制片２１を上昇させて落下防止機能を発揮させる。
【００２４】
収納されるパレットPのサイズが異なったりして、検出部１０が例えばパレットPの外側に位置するような場合には、上側部材１２と下側部材１３の二部材を止めている固定具１１を緩めると、落下防止装置Sは収納ラック１の横ビーム５に掛合した状態でスライドできるようになる。これにより簡単に落下防止装置Sの取り付け位置の調整を行うことができる。
【００２５】
また、上記実施の形態では、図２においてケーシング９の上側部材に前後一対の軸部材２３を左右に２箇所設けてあるのは、この左右の軸部材２３のいずれかを選択することにより、揺動部の脚部の挿通孔を挿通して揺動部を装着することにより揺動部と規制片との左右位置を選択することができるようにするためである。
【００２６】
尚、図８に示すものは、横ビーム５の断面形状がΣ形をしたものに本考案にかかる落下防止装置Sを実施したもので、この図８では上記実施例における下側部材（二点鎖線で示す）１３を実線図でしめすようにＬ形にし、この下側部材１３を上側部材１２の下端とΣ形の横ビーム５に渡って設けるようにしたものである。この場合、横ビーム５への連結は予め穿設されている孔等を利用するのが望ましい。また、図中符号３３は門形をしたスペーサである。
【符号の説明】
【００２７】
S・・・落下防止装置
P・・・パレット（収納物）
１・・・収納ラック
４・・・支柱
５・・・横ビーム
９・・・ケーシング
１０・・・検出部
１１・・・固定具
１２・・・上側部材
１３・・・下側部材
２１・・・規制片
２１a・・・突片（押し上げ部）
２５・・・弾性部材
【図１】
0003155536.tif 000003
【図２】
0003155536.tif 000004
【図３】
0003155536.tif 000005
【図４】
0003155536.tif 000006
【図５】
0003155536.tif 000007
【図６】
0003155536.tif 000008
【図７】
0003155536.tif 000009
【図８】
0003155536.tif 000010